(57)【要約】【課題】高効率な送信機を実現するためのデータ生成器、データ生成方法、およびそのデータ生成器を利用した送信機を提供することが困難であった。【解決手段】入力された信号から、互いに直交するＩ信号およびＱ信号、ならびに前記Ｉ信号および前記Ｑ信号からなる直交信号の振幅成分を生成する原データ生成器２０１と、前記振幅成分をデルタシグマ変調するデルタシグマ変調器３０４と、前記Ｉ信号が前記振幅成分で除算された規格化Ｉデータと、前記デルタシグマ変調された信号とを掛け算して得られる第１データを出力する第１掛算器３０５と、前記Ｑ信号が前記振幅成分で除算された規格化Ｑデータと、前記デルタシグマ変調された信号とを掛け算して得られる第２データを出力する第２掛算器３０６と、を備えるデータ生成器。【選択図】　図１０
2004072734.tif 000002
【特許請求の範囲】
【請求項１】
信号を入力し、前記信号からＩ信号およびＱ信号からなる直交信号を生成し、
前記直交信号の振幅成分を、前記振幅成分の分解能よりも小さい分解能の信号に変換し、
前記Ｉ信号を前記直交信号の振幅成分で除算して規格化Ｉデータとし、前記規格化Ｉデータに前記変換された信号を掛け算して得られる第１データを出力し、前記Ｑ信号を前記直交信号の振幅成分で除算して規格化Ｑデータとし、前記規格化Ｑデータに前記変換された信号を掛け算して得られる第２データを出力する、データ生成方法。
【請求項２】
入力された信号から、互いに直交するＩ信号およびＱ信号、ならびに前記Ｉ信号および前記Ｑ信号からなる直交信号の振幅成分を生成する原データ生成手段と、
前記振幅成分を、前記振幅成分の分解能よりも小さい分解能の信号に変換する変換手段と、
前記Ｉ信号が前記振幅成分で除算された規格化Ｉデータと前記変換された信号とを掛け算して得られる第１データを出力する第１掛算手段と、
前記Ｑ信号が前記振幅成分で除算された規格化Ｑデータと前記変換された信号とを掛け算して得られる第２データを出力する第２掛算手段と、を備えるデータ生成器。
【請求項３】
前記変換手段は、デルタシグマ変調手段である、請求項２に記載のデータ生成器。
【請求項４】
前記原データ生成手段は、前記Ｉ信号、前記Ｑ信号、および前記振幅成分を出力し、
前記原データ生成手段の前記Ｉ信号を出力する出力側には、前記原データ生成手段の前記振幅成分を出力する出力側に接続された第１割算手段が接続され、前記第１割算手段は、前記Ｉ信号を前記振幅成分で除算することにより前記規格化Ｉデータを出力し、
前記原データ生成手段の前記Ｑ信号を出力する出力側には、前記原データ生成手段の前記振幅成分を出力する出力側に接続された第２割算手段が接続され、前記第２割算手段は、前記Ｑ信号を前記振幅成分で除算することにより前記規格化Ｑデータを出力し、
前記原データ生成手段の振幅成分の出力側には前記デルタシグマ変調手段が接続され、　前記デルタシグマ変調手段は、前記振幅信号がデルタシグマ変調された信号を出力し、
前記第１割算手段の出力側には、前記デルタシグマ変調手段の出力側に接続された第１掛算手段が接続され、前記第１掛算手段は、前記規格化Ｉデータと前記振幅信号がデルタシグマ変調された信号とを掛け算して得られる第１データを出力し、
前記第２割算手段の出力側には、前記デルタシグマ変調手段の出力側に接続された第２掛算手段が接続され、前記第２掛算手段は、前記規格化Ｑデータと前記振幅信号がデルタシグマ変調された信号とを掛け算して得られる第２データを出力する、請求項３に記載のデータ生成器。
【請求項５】
前記原データ生成手段は、前記Ｉ信号を前記直交信号の振幅成分で除算して得られる規格化Ｉデータ、前記Ｑ信号を前記直交信号の振幅成分で除算して得られる規格化Ｑデータ、および前記直交信号の振幅成分を出力する、請求項２に記載のデータ生成器。
【請求項６】
前記変換手段は、デルタシグマ変調手段である、請求項５に記載のデータ生成器。
【請求項７】
前記データ生成器から出力される第１データおよび第２データをそれぞれＤ／Ａ変換するための、第４Ｄ／Ａコンバータおよび第５Ｄ／Ａコンバータをさらに備える、請求項２または５に記載のデータ生成器。
【請求項８】
前記原データ生成手段の規格化Ｉデータを出力する出力側に接続された、前記規格化Ｉデータをアナログ変換するための第１Ｄ／Ａコンバータと、
前記原データ生成手段の規格化Ｑデータを出力する出力側に接続された、前記規格化Ｑデータをアナログ変換するための第２Ｄ／Ａコンバータと、
前記原データ生成手段の出力側に接続され、前記直交信号の振幅成分をアップサンプリングするためのアップサンプリング手段と、
前記デルタシグマ変調手段の出力側に接続された、前記デルタシグマ変調された信号をアナログ変換するための第３Ｄ／Ａコンバータと、をさらに備え、
前記デルタシグマ変調手段は、前記アップサンプリングされた信号をデルタシグマ変調し、
前記第１掛算手段は、前記第１Ｄ／Ａコンバータの出力側および前記第３Ｄ／Ａコンバータの出力側に接続され、前記アナログ変換された規格化Ｉデータと、前記アナログ変換されたデルタシグマ変調された信号と、を掛け算して出力し、前記第２掛算手段は、前記第２Ｄ／Ａコンバータの出力側および前記第３Ｄ／Ａコンバータの出力側に接続され、前記アナログ変換された規格化Ｑデータと、前記アナログ変換されたデルタシグマ変調された信号と、を掛け算して出力し、前記第１Ｄ／Ａコンバータおよび前記第２Ｄ／Ａコンバータは、その垂直分解能が前記第３Ｄ／Ａコンバータより高く、前記第３Ｄ／Ａコンバータは、前記第１Ｄ／Ａコンバータおよび前記第２Ｄ／Ａコンバータよりも高速動作する、請求項６に記載のデータ生成器。
【請求項９】
前記Ｉ信号を遅延させる第１遅延手段と、前記Ｑ信号を遅延させる第２遅延手段と、をさらに備える、請求項２に記載のデータ生成器。
【請求項１０】
前記規格化Ｉ信号を遅延させる第３遅延手段と、前記規格化Ｑ信号を遅延させる第４遅延手段と、をさらに備える、請求項２に記載のデータ生成器。
【請求項１１】
前記第１掛算手段および前記第２掛算手段の出力側にそれぞれ、前記デルタシグマ変調手段のクロック周波数の１／２よりも高いカットオフ周波数を有するローパスフィルタが接続され、前記第１データおよび前記第２データをフィルタする、請求項３または６に記載のデータ生成器。
【請求項１２】
前記デルタシグマ変調された信号は、大きさが同じで符号が異なる２値の実数のデータ列から構成される、請求項３または６に記載のデータ生成器。
【請求項１３】
前記デルタシグマ変調された信号は、０と０を除く実数との２値から構成される、請求項３または６に記載のデータ生成器。
【請求項１４】
入力された信号から、互いに直交するＩ信号およびＱ信号、前記Ｉ信号および前記Ｑ信号からなる直交信号の振幅成分を生成し、前記Ｉ信号を前記直交信号の振幅成分で除算して得られる規格化Ｉデータ、前記Ｑ信号を前記直交信号の振幅成分で除算して得られる規格化Ｑデータ、ならびに前記直交信号の振幅成分から得られた信号を変換して得られる、前記振幅成分の分解能よりも小さい分解能の信号を出力する原データ生成手段と、
前記規格化Ｉデータおよび前記規格化Ｑデータを角度変調して、前記角度変調された信号を出力する角度変調手段と、
前記角度変調手段から出力された角度変調信号を、前記原データ生成手段から出力された振幅データを変換した信号で振幅変調する振幅変調手段と、を備えるデータ生成器。
【請求項１５】
請求項２または５に記載のデータ生成器と、
前記データ生成器から出力される第１データおよび第２データをベクトル変調するベクトル変調手段と、を備える送信機。
【請求項１６】
前記変調手段の出力側に前記変調された信号を増幅するための増幅手段が接続され、
前記増幅手段の出力側に前記増幅された信号を帯域通過させるための帯域通過手段が接続され、
前記帯域通過手段の出力側に前記帯域通過された信号を送信するためのアンテナが接続される、請求項１５に記載の送信機。
【請求項１７】
前記増幅手段と前記帯域通過手段との間にアイソレータが設けられている、請求項１６に記載の送信機。
【請求項１８】
請求項２または５に記載のデータ生成器と、
前記第１データおよび前記第２データをベクトル変調する第１ベクトル変調手段と、
前記Ｉ信号および前記Ｑ信号をベクトル変調する、第２ベクトル変調手段と、
前記ベクトル変調された信号を増幅する増幅手段と、を備え、
その送信信号の強度が所定量より大きいときは、前記第１ベクトル変調手段によりベクトル変調された信号が前記増幅手段に入力されて増幅され、前記送信信号の強度が所定量より小さいときは、前記第２ベクトル変調手段の出力信号が前記増幅手段に入力されて増幅される送信機。
【請求項１９】
請求項２または５に記載のデータ生成器と、
前記第１データおよび前記第２データ、もしくは前記Ｉ信号および前記Ｑ信号をベクトル変調する第３ベクトル変調手段と、
前記第３ベクトル変調手段によりベクトル変調された信号を増幅する増幅手段と、を備え、
その送信信号の強度が所定量より大きいときは、前記第３ベクトル変調手段は、前記第１データおよび前記第２データを変調し、前記送信信号の強度が前記所定量より小さいときは、前記第３ベクトル変調手段は、前記Ｉ信号および前記Ｑ信号を変調する送信機。
【請求項２０】
請求項２または５に記載のデータ生成器と、
前記データ生成器から出力される第１データおよび第２データを変調する変調手段と、を備える送信機であって、
前記変調手段の出力側に前記変調された信号を増幅するための増幅手段が接続され、
前記増幅手段の出力側に前記増幅された信号を帯域通過させるための帯域通過手段が接続され、
前記帯域通過手段の出力側に前記帯域通過された信号を送信するためのアンテナが接続される、送信機。
【請求項２１】
前記変換手段はデルタシグマ変調手段であり、前記デルタシグマ変調手段から出力される信号が多値であり、前記増幅手段の非線形性を補償するためのあらかじめ歪められた信号が前記増幅手段に入力される、請求項２０に記載の送信機。
【請求項２２】
前記デルタシグマ変調手段から出力される信号が多値であり、前記増幅手段は並列に接続された複数の増幅器から構成され、前記デルタシグマ変調手段から出力される信号の包絡線に応じて、前記複数の増幅器から少なくとも１つの増幅器が選択される、請求項２０に記載の送信機。
【請求項２３】
前記変調手段の出力までの処理をデジタル信号処理で実現する、請求項１５に記載の送信機。
【請求項２４】
請求項２または５に記載のデータ生成器と、
前記データ生成器の出力側に接続され、前記データ生成器から出力される第１データおよび第２データをベクトル変調する第１ベクトル変調手段と、
前記第１変調手段の出力側に接続され、前記第１変調手段から出力される信号を増幅する第１増幅手段と、
前記データ生成器に接続され、前記第１データから前記Ｉ信号を引き算し生成された第１量子化雑音データ、および前記第２データから前記Ｑ信号を引き算して生成された第２量子化雑音データを出力する量子化雑音生成手段と、
前記量子化雑音生成手段の出力側に接続され、前記第１量子化雑音データおよび前記第２量子化雑音データをベクトル変調する第４ベクトル変調手段と、
前記第４ベクトル変調手段の出力側に接続され、前記第４ベクトル変調手段から出力される信号を増幅する第２増幅手段と、
前記第１増幅手段の出力側および前記第２増幅手段の出力側に接続され、前記第１増幅手段から出力された信号、および前記第２増幅手段から出力された信号が実質上等振幅逆位相で合成され、量子化雑音成分がキャンセルされる合成手段と、を備える送信機。
【請求項２５】
前記量子化雑音生成手段の出力側に、低域通過フィルタが接続されている、請求項２４に記載の送信機。
【発明の詳細な説明】
【０００１】
【発明の属する技術分野】
本発明は、Ｉ信号およびＱ信号からなる直交信号を利用したデータ生成器、データ生成方法、ならびにそのデータ生成器を利用した送信機に関する。
【０００２】
【従来の技術】
従来の送信機（例えば特許文献１参照。）の一例を図２５に示す。図２５でデータ生成器５００１の２つの出力端子からはそれぞれ、互いに直交するＩデータ（Ｉ信号）、Ｑデータ（Ｑ信号）が出力される。これらのデータは変調器５００２に入力され変調される。変調器５００２から出力された信号は、増幅器５００６により増幅され、アンテナ５００７から放射される。
【０００３】
【特許文献１】
特開２００２−３２５１０９号公報
【０００４】
【発明が解決しようとする課題】
しかしながら、図２５に記載の送信機においては、アンテナ５００７から放射されるべき信号の包絡線は大きく変動し、このような信号を送信機内で劣化させないようにするためには増幅器５００６に線形性が要求される。増幅器５００６で線形性を確保するためには増幅器５００６での消費電力が大きくなってしまう。
【０００５】
本発明は、上記の課題を鑑み、高効率な送信機を実現するためのデータ生成器、データ生成方法、およびそのデータ生成器を利用した送信機を提供することを目的とする。
【０００６】
【課題を解決するための手段】
上記課題を解決するための第１の本発明は、信号を入力し、前記信号からＩ信号およびＱ信号からなる直交信号を生成し、
前記直交信号の振幅成分を、前記振幅成分の分解能よりも小さい分解能の信号に変換し、
前記Ｉ信号を前記直交信号の振幅成分で除算して規格化Ｉデータとし、前記規格化Ｉデータに前記変換された信号を掛け算して得られる第１データを出力し、前記Ｑ信号を前記直交信号の振幅成分で除算して規格化Ｑデータとし、前記規格化Ｑデータに前記変換された信号を掛け算して得られる第２データを出力する、データ生成方法である。
【０００７】
第２の本発明は、入力された信号から、互いに直交するＩ信号およびＱ信号、ならびに前記Ｉ信号および前記Ｑ信号からなる直交信号の振幅成分を生成する原データ生成手段と、
前記振幅成分を、前記振幅成分の分解能よりも小さい分解能の信号に変換する変換手段と、
前記Ｉ信号が前記振幅成分で除算された規格化Ｉデータと前記変換された信号とを掛け算して得られる第１データを出力する第１掛算手段と、
前記Ｑ信号が前記振幅成分で除算された規格化Ｑデータと前記変換された信号とを掛け算して得られる第２データを出力する第２掛算手段と、を備えるデータ生成器である。
【０００８】
第３の本発明は、前記変換手段は、デルタシグマ変調手段である、第２の本発明のデータ生成器である。
【０００９】
第４の本発明は、前記原データ生成手段は、前記Ｉ信号、前記Ｑ信号、および前記振幅成分を出力し、
前記原データ生成手段の前記Ｉ信号を出力する出力側には、前記原データ生成手段の前記振幅成分を出力する出力側に接続された第１割算手段が接続され、前記第１割算手段は、前記Ｉ信号を前記振幅成分で除算することにより前記規格化Ｉデータを出力し、
前記原データ生成手段の前記Ｑ信号を出力する出力側には、前記原データ生成手段の前記振幅成分を出力する出力側に接続された第２割算手段が接続され、前記第２割算手段は、前記Ｑ信号を前記振幅成分で除算することにより前記規格化Ｑデータを出力し、
前記原データ生成手段の振幅成分の出力側には前記デルタシグマ変調手段が接続され、　前記デルタシグマ変調手段は、前記振幅信号がデルタシグマ変調された信号を出力し、
前記第１割算手段の出力側には、前記デルタシグマ変調手段の出力側に接続された第１掛算手段が接続され、前記第１掛算手段は、前記規格化Ｉデータと前記振幅信号がデルタシグマ変調された信号とを掛け算して得られる第１データを出力し、
前記第２割算手段の出力側には、前記デルタシグマ変調手段の出力側に接続された第２掛算手段が接続され、前記第２掛算手段は、前記規格化Ｑデータと前記振幅信号がデルタシグマ変調された信号とを掛け算して得られる第２データを出力する、第３の本発明のデータ生成器である。
【００１０】
第５の本発明は、前記原データ生成手段は、前記Ｉ信号を前記直交信号の振幅成分で除算して得られる規格化Ｉデータ、前記Ｑ信号を前記直交信号の振幅成分で除算して得られる規格化Ｑデータ、および前記直交信号の振幅成分を出力する、第２の本発明のデータ生成器である。
【００１１】
第６の本発明は、前記変換手段は、デルタシグマ変調手段である、第５の本発明のデータ生成器である。
【００１２】
第７の本発明は、前記データ生成器から出力される第１データおよび第２データをそれぞれＤ／Ａ変換するための、第４Ｄ／Ａコンバータおよび第５Ｄ／Ａコンバータをさらに備える、第２または５の本発明のデータ生成器である。
【００１３】
第８の本発明は、前記原データ生成手段の規格化Ｉデータを出力する出力側に接続された、前記規格化Ｉデータをアナログ変換するための第１Ｄ／Ａコンバータと、
前記原データ生成手段の規格化Ｑデータを出力する出力側に接続された、前記規格化Ｑデータをアナログ変換するための第２Ｄ／Ａコンバータと、
前記原データ生成手段の出力側に接続され、前記直交信号の振幅成分をアップサンプリングするためのアップサンプリング手段と、
前記デルタシグマ変調手段の出力側に接続された、前記デルタシグマ変調された信号をアナログ変換するための第３Ｄ／Ａコンバータと、をさらに備え、
前記デルタシグマ変調手段は、前記アップサンプリングされた信号をデルタシグマ変調し、
前記第１掛算手段は、前記第１Ｄ／Ａコンバータの出力側および前記第３Ｄ／Ａコンバータの出力側に接続され、前記アナログ変換された規格化Ｉデータと、前記アナログ変換されたデルタシグマ変調された信号と、を掛け算して出力し、前記第２掛算手段は、前記第２Ｄ／Ａコンバータの出力側および前記第３Ｄ／Ａコンバータの出力側に接続され、前記アナログ変換された規格化Ｑデータと、前記アナログ変換されたデルタシグマ変調された信号と、を掛け算して出力し、前記第１Ｄ／Ａコンバータおよび前記第２Ｄ／Ａコンバータは、その垂直分解能が前記第３Ｄ／Ａコンバータより高く、前記第３Ｄ／Ａコンバータは、前記第１Ｄ／Ａコンバータおよび前記第２Ｄ／Ａコンバータよりも高速動作する、第６の本発明のデータ生成器である。
【００１４】
第９の本発明は、前記Ｉ信号を遅延させる第１遅延手段と、前記Ｑ信号を遅延させる第２遅延手段と、をさらに備える、第２の本発明のデータ生成器である。
【００１５】
第１０の本発明は、前記規格化Ｉ信号を遅延させる第３遅延手段と、前記規格化Ｑ信号を遅延させる第４遅延手段と、をさらに備える、第２の本発明のデータ生成器である。
【００１６】
第１１の本発明は、前記第１掛算手段および前記第２掛算手段の出力側にそれぞれ、前記デルタシグマ変調手段のクロック周波数の１／２よりも高いカットオフ周波数を有するローパスフィルタが接続され、前記第１データおよび前記第２データをフィルタする、第３または６の本発明のデータ生成器である。
【００１７】
第１２の本発明は、前記デルタシグマ変調された信号は、大きさが同じで符号が異なる２値の実数のデータ列から構成される、第３または６の本発明のデータ生成器である。
【００１８】
第１３の本発明は、前記デルタシグマ変調された信号は、０と０を除く実数との２値から構成される、第３または６の本発明のデータ生成器である。
【００１９】
第１４の本発明は、入力された信号から、互いに直交するＩ信号およびＱ信号、前記Ｉ信号および前記Ｑ信号からなる直交信号の振幅成分を生成し、前記Ｉ信号を前記直交信号の振幅成分で除算して得られる規格化Ｉデータ、前記Ｑ信号を前記直交信号の振幅成分で除算して得られる規格化Ｑデータ、ならびに前記直交信号の振幅成分から得られた信号を変換して得られる、前記振幅成分の分解能よりも小さい分解能の信号を出力する原データ生成手段と、
前記規格化Ｉデータおよび前記規格化Ｑデータを角度変調して、前記角度変調された信号を出力する角度変調手段と、
前記角度変調手段から出力された角度変調信号を、前記原データ生成手段から出力された振幅データを変換した信号で振幅変調する振幅変調手段と、を備えるデータ生成器である。
【００２０】
第１５の本発明は、第２または５の本発明のデータ生成器と、
前記データ生成器から出力される第１データおよび第２データをベクトル変調するベクトル変調手段と、を備える送信機である。
【００２１】
第１６の本発明は、前記変調手段の出力側に前記変調された信号を増幅するための増幅手段が接続され、
前記増幅手段の出力側に前記増幅された信号を帯域通過させるための帯域通過手段が接続され、
前記帯域通過手段の出力側に前記帯域通過された信号を送信するためのアンテナが接続される、第１５の本発明の送信機である。
【００２２】
第１７の本発明は、前記増幅手段と前記帯域通過手段との間にアイソレータが設けられている、第１６の本発明の送信機である。
【００２３】
第１８の本発明は、第２または５の本発明のデータ生成器と、
前記第１データおよび前記第２データをベクトル変調する第１ベクトル変調手段と、
前記Ｉ信号および前記Ｑ信号をベクトル変調する、第２ベクトル変調手段と、
前記ベクトル変調された信号を増幅する増幅手段と、を備え、
その送信信号の強度が所定量より大きいときは、前記第１ベクトル変調手段によりベクトル変調された信号が前記増幅手段に入力されて増幅され、前記送信信号の強度が所定量より小さいときは、前記第２ベクトル変調手段の出力信号が前記増幅手段に入力されて増幅される送信機である。
【００２４】
第１９の本発明は、第２または５の本発明のデータ生成器と、
前記第１データおよび前記第２データ、もしくは前記Ｉ信号および前記Ｑ信号をベクトル変調する第３ベクトル変調手段と、
前記第３ベクトル変調手段によりベクトル変調された信号を増幅する増幅手段と、を備え、
その送信信号の強度が所定量より大きいときは、前記第３ベクトル変調手段は、前記第１データおよび前記第２データを変調し、前記送信信号の強度が前記所定量より小さいときは、前記第３ベクトル変調手段は、前記Ｉ信号および前記Ｑ信号を変調する送信機である。
【００２５】
第２０の本発明は、第２または５の本発明のデータ生成器と、
前記データ生成器から出力される第１データおよび第２データを変調する変調手段と、を備える送信機であって、
前記変調手段の出力側に前記変調された信号を増幅するための増幅手段が接続され、
前記増幅手段の出力側に前記増幅された信号を帯域通過させるための帯域通過手段が接続され、
前記帯域通過手段の出力側に前記帯域通過された信号を送信するためのアンテナが接続される、送信機である。
【００２６】
第２１の本発明は、前記変換手段はデルタシグマ変調手段であり、前記デルタシグマ変調手段から出力される信号が多値であり、前記増幅手段の非線形性を補償するためのあらかじめ歪められた信号が前記増幅手段に入力される、第２０の本発明の送信機である。
【００２７】
第２２の本発明は、前記デルタシグマ変調手段から出力される信号が多値であり、前記増幅手段は並列に接続された複数の増幅器から構成され、前記デルタシグマ変調手段から出力される信号の包絡線に応じて、前記複数の増幅器から少なくとも１つの増幅器が選択される、第２０の本発明の送信機である。
【００２８】
第２３の本発明は、前記変調手段の出力までの処理をデジタル信号処理で実現する、第１５の本発明の送信機である。
【００２９】
第２４の本発明は、第２または５の本発明のデータ生成器と、
前記データ生成器の出力側に接続され、前記データ生成器から出力される第１データおよび第２データをベクトル変調する第１ベクトル変調手段と、
前記第１変調手段の出力側に接続され、前記第１変調手段から出力される信号を増幅する第１増幅手段と、
前記データ生成器に接続され、前記第１データから前記Ｉ信号を引き算し生成された第１量子化雑音データ、および前記第２データから前記Ｑ信号を引き算して生成された第２量子化雑音データを出力する量子化雑音生成手段と、
前記量子化雑音生成手段の出力側に接続され、前記第１量子化雑音データおよび前記第２量子化雑音データをベクトル変調する第４ベクトル変調手段と、
前記第４ベクトル変調手段の出力側に接続され、前記第４ベクトル変調手段から出力される信号を増幅する第２増幅手段と、
前記第１増幅手段の出力側および前記第２増幅手段の出力側に接続され、前記第１増幅手段から出力された信号、および前記第２増幅手段から出力された信号が実質上等振幅逆位相で合成され、量子化雑音成分がキャンセルされる合成手段と、を備える送信機である。
【００３０】
第２５の本発明は、前記量子化雑音生成手段の出力側に、低域通過フィルタが接続されている、第２４の本発明の送信機である。
【００３１】
【発明の実施の形態】
（実施の形態１）
以下、本発明の実施の形態１のデータ生成器の構成について、図１１を用いて説明する。
【００３２】
入力された信号から直交信号であるＩ信号、Ｑ信号、およびこの直交信号の振幅信号（Ｉ２＋Ｑ２）１／２　を生成する本発明の原データ生成手段の一例である原データ生成器３０１は、そのＩ信号の出力側に本発明の第１割算手段の一例である割算器３０２の入力側の一端が接続され、そのＱ信号の出力側に本発明の第２割算手段の一例である割算器３０３の入力側の一端が接続されている。
【００３３】
原データ生成器３０１の振幅信号の出力側には、本発明のデルタシグマ変調手段の一例であるデルタシグマ変調器３０４が接続されている。また原データ生成器３０１の振幅信号の出力側は、割算器３０２の入力側の他端、割算器３０３の入力側の他端にも接続されている。
【００３４】
割算器３０２の出力側は、本発明の第１掛算手段の一例である掛算器３０５の入力側の一端が接続され、割算器３０３の出力側は、本発明の第２掛算手段の一例である掛算器３０６の入力側の一端が接続されている。また、デルタシグマ変調器３０４の出力側には、掛算器３０５、３０６のそれぞれの入力側の他端が接続されている。そして、掛算器３０５、３０６の出力側には、それぞれ出力端子３０７、３０８が接続されている。
【００３５】
次にこのような構成のデータ生成器の動作を説明する。図１は、以下の動作の概要を示したものである。
【００３６】
原データ生成器３０１から出力された振幅信号（Ｉ２＋Ｑ２）１／２　は、デルタシグマ変調器３０４に入力され、デルタシグマ変調器３０４からは−ａ、＋ａ（ａ：正の実数）の２値（すなわち大きさが同じで符号が異なる２値）がデルタシグマ変調信号として出力される。
【００３７】
一方、原データ生成器３０１において生成されたＩ信号は、割算器３０２に入力され、割算器３０２の他方の入力側から入力された上記振幅信号で除算されて規格化Ｉデータ（Ｉ／（Ｉ２＋Ｑ２）１／２　）が得られ、上記規格化Ｉデータが割算器３０２から出力され掛算器３０５に入力される。掛算器３０５に入力された上記規格化Ｉデータは、掛算器３０５の他方の入力側から入力されたデルタシグマ変調された信号（±ａ）が掛け算されて、第１データ（±ａＩ／（Ｉ２＋Ｑ２）１／２　）が得られる。得られた第１データは掛算器３０５から出力端子３０７を経て出力される。
【００３８】
また、原データ生成器３０１において生成されたＱ信号は、割算器３０３に入力され、上記と同様に規格化Ｑデータ（Ｉ２＋Ｑ２）１／２　が割算器３０３から出力され、規格化Ｑデータにデルタシグマ変調された信号（±ａ）が掛け算されて第２データ（±ａＱ／（Ｉ２＋Ｑ２）１／２）が得られ、上記第２データが掛算器３０６から出力端子３０８を経て出力される。
【００３９】
上記のようにして得られた第１データおよび第２データを直交変調すると定包絡の信号が得られる。一例として原データ生成器３０１に入力される信号の変調方式がπ／４シフトＱＰＳＫであるときについて、具体的に説明する。シンボルレートは２１ｋＨｚとする。
【００４０】
図２、図３のようにＩデータ、Ｑデータが与えられているとする。これをベクトル図でＩデータ、Ｑデータの関係を表すと図４のようになる。これらのＩデータ、Ｑデータ値から直交信号の振幅（Ｉ２＋Ｑ２）１／２　を計算すると図５のようになる。得られた振幅信号をデルタシグマ変調器３０４によりデルタシグマ変調する。ここではデルタシグマ変調器３０４のクロック周波数はシンボルレートの２５６倍である５．３７６ＭＨｚに設定されている。また、デルタシグマ変調器３０４は１次であり、デルタシグマ変調器３０４からの出力は−１．５、＋１．５の２値であるとする。このデルタシグマ変調器３０４から出力された信号に規格化Ｉデータ、規格化Ｑデータをそれぞれ掛け算して第１データ、第２データを得る。
【００４１】
図６に、Ｉデータ（Ｉと表示）、Ｑデータ（Ｑと表示）、振幅データ（ＭＡＧと表示）、デルタシグマ変調器３０４からの出力（ＭＡＧ＿ＤＳＭと表示）、第１データおよび第２データ（それぞれＩ＿ＤＳＭ、Ｑ＿ＤＳＭと表示）を示す。ここでは、初めの４００点のデータのみを表示している。この第１データおよび第２データの関係をベクトル図で表すと図７のようになる。ここでは最初の５１２点のみ示しているが、全ての点が同一円周上にあることが確認できる。すなわち、第１データと第２データからなる直交信号の振幅成分はａとなり一定値を取る。このことは、第１データと第２データからなる直交信号の包絡線は一定値であることを意味する。
【００４２】
上記のデータ生成器を用いて図１７に示す送信機を構成した場合、後段の増幅器には線形性が要求されないため、消費電力が少なく高効率な送信機を実現することができるデータ生成器、データ生成方法を提供することができる。ベクトル変調器５０２の出力をオシロスコープで測定した波形を図８に示す。
【００４３】
なお、以上の説明において、規格化Ｉデータ、規格化Ｑデータを求めるために原データ生成器３０１から出力されたＩ信号、Ｑ信号が原データ生成器３０１の外部に接続された割算器３０２、割算器３０３において割算される、として説明したが、割算器３０２、３０３が原データ生成器２０１の内部に構成されることも考えられる。その場合のデータ生成器の構成は、図１０のようになり、この場合、原データ生成器２０１からは、上記振幅信号とともに規格化Ｉデータ、規格化Ｑデータが出力される。その他の構成要素については図１１のデータ生成器と同様である。
【００４４】
また、上記デルタシグマ変調された信号は、＋ａ、−ａの２値を取る、として説明したが、０と０以外の実数を取る２値であることも考えられられる。その場合の第１データおよび第２データからなる信号は、定包絡な信号がオン、オフした信号となる（図３０に示す。）ので、上記の場合と同様、後段の増幅器等に線形性が要求されることがないので、上記と同様の効果を得ることができる。
【００４５】
また、上記までの説明において、デルタシグマ変調器３０４は１次のものであるとして説明したが、高次のもので使用されることもある。図２０は、４次のデルタシグマ変調器の構成を示す。このような高次のデルタシグマ変調器を使用することにより、所望波近傍の量子化雑音を低減することができる。
【００４６】
（実施の形態２）
次に上記の実施の形態１で説明した第１データ、第２データを出力するデータ生成器を用いて送信機を構成した場合について説明する。このような構成の送信機として図１７に示す構成の送信機が考えられる。
【００４７】
図１７に示す構成の送信機において、データ生成器５０１は、実施の形態１で説明したデータ生成器であり、上記の第１データおよび第２データを出力するデータ生成器５０１の出力側には、本発明のベクトル変調手段の一例であるベクトル変調器５０２が接続されている。そして、ベクトル変調器５０２の出力側には、変調された信号を増幅するための本発明の増幅手段の一例である増幅器５０３が接続され、増幅器５０３の出力側には本発明の帯域通過手段の一例であるバンドパスフィルタ５０４が接続され、バンドパスフィルタ５０４の出力側にはアンテナ５０５が接続されている。
【００４８】
次にこのような送信機の動作について説明する。データ生成器５０１から出力された第１データおよび第２データは、ベクトル変調器５０２に入力され、ベクトル変調される。ベクトル変調器５０２から出力された信号は、増幅器５０３に入力されて所要の信号強度に増幅される。そして、増幅器５０３から出力された信号は、バンドパスフィルタ５０４を帯域通過し、アンテナ５０５から送信される。
【００４９】
ベクトル変調器５０２の出力の時間波形（測定値）、および周波数スペクトラム（測定値）をそれぞれ、図８、図９に示す。図８からベクトル変調器５０２の出力信号は、定包絡の信号となっており、図９から周波数スペクトラムも所望のものが得られていることがわかる。
【００５０】
以上述べたようにデータ生成器からの出力を変調した信号は、包絡線の変動がない定包絡信号であるので、後段に接続される掛算器や増幅器には線形性は要求されず、高効率な送信回路を実現することができる。
【００５１】
なお、本実施の形態の上記の説明では、データ生成器５０１で生成された信号を変調して増幅しアンテナ５０５から送信する、として説明したが、データ生成器５０１で生成された信号を変調した後、さらにアップコンバートした後に増幅し送信する構成であってもよい。その場合の構成は、例えば図１８に示す構成となる。
【００５２】
図１８に示す送信機の構成においては、ベクトル変調器６０２の後に掛算器６０３の一方の入力側が接続され、掛算器６０３の他方の入力側には信号発生器６０４の出力側が接続されている。そして、掛算器６０３の出力側にはバンドパスフィルタ６０５が接続され、バンドパスフィルタ６０５の出力側には増幅器６０６の入力側が接続される。増幅器６０６、バンドパスフィルタ６０７、アンテナ６０８については、図１７に示す増幅器５０３、バンドパスフィルタ５０４、アンテナ５０５に対応し、同様の動作をする。
【００５３】
このような構成により、ベクトル変調器６０２から出力された信号は、信号発生器６０４から発生された信号と掛け算され、そして掛け算された信号のうち、所望のアップコンバートされた信号がバンドパスフィルタ６０５を通過して増幅器６０６に入力される。このような構成、動作によっても上記と同様の効果を得ることができる。
【００５４】
また、図３１に示すように、増幅器５０３とバンドパスフィルタ５０４の間にアイソレータ５０６を挿入することも考えられる。このようなアイソレータ５０６を挿入することにより、増幅器５０３で所望しない歪みが発生することなく、広い周波数にわたって一定の負荷インピーダンスを実現することができる。
また、本実施の形態において、データ生成器５０１の出力は直接ベクトル変調する、として説明したが、データ生成器５０１の出力を低域通過させて変調する構成も考えられる。図１２は、そのような場合のデータ生成器の構成を示す。図１２のデータ生成器においては、データ生成器５０１の第１データおよび第２データの出力側にローパスフィルタ４０２、４０３が接続されている。このローパスフィルタ４０２、４０３のカットオフ周波数をデータ生成器５０１内部のデルタシグマ変調器３０４のクロック周波数の１／２よりも高くすれば、出力信号に対して後段デバイスの線形性は要求されない。これはクロック時のデータさえ増幅、送信すれば良く、クロック時のデータは一定値だからである。
【００５５】
実際にローパスフィルタ４０２、４０３としてレイズドコサイン型のデジタルローパスフィルタを採用した場合のスペクトラム波形を図１５、１６に示す。ここではカットオフ周波数を７ＭＨｚ、ロールオフ率α＝０としている。この図から、離れた周波数の信号が抑圧され、かつ所望波には悪影響が及んでいないことがわかる。比較のために図１３、１４に、データ生成器５０１からの出力を直接、直交変調した場合のスペクトラムを示す。変調波としては実施の形態１と同じものを用いているが、量子化雑音が広帯域に広がっていることがわかる。
【００５６】
このようなデータ生成器を用いて、図１７あるいは図１８に記載の送信機を構成した場合、ローパスフィルタ４０２、４０３によって量子化雑音の一部が除去されているので、バンドパスフィルタ５０４、６０７の所要特性が緩和される。
【００５７】
また、上記までの説明における図１７、図１８の送信機において、ベクトル変調器５０２、６０２は、例えば図１９に示す直交変調器の構成を取ることができる。
【００５８】
すなわち、図１９に示す構成においては、データ生成器５０１の第１データおよび第２データの出力側は、それぞれ本発明の第３掛算手段の一例である掛算器７０２、本発明の第４掛算手段の一例である掛算器７０３に接続されている。そして掛算器７０２、７０３の両者には本発明の移相手段の一例である移相器７０４が接続され、この移相器７０４には本発明の信号発生手段の一例である信号発生器７０５が接続されている。また、掛算器７０２、７０３の両者の出力側は、合成器７０６に接続され、合成器７０６の出力は出力端子７０７に接続されている。
【００５９】
このような構成の直交変調器によれば、データ生成器５０１から出力された第１データおよび第２データは、それぞれ掛算器７０２、７０３の一方に入力され、信号発生器７０５から出力された信号は移相器７０４を介して掛算器７０２、７０３のもう一方の入力に入力される。ここで、掛算器７０２、７０３へ入力される信号は、それらの信号の位相差が９０°となるように移相器７０４において調節される。掛算器７０２、７０３からの出力は合成器７０６で合成され出力端子７０７から出力される。
【００６０】
また、上記までの説明では、各デルタシグマ変調器の出力は２値を取るとしてきたが、量子化雑音を低減させるために多値を取ることも考えられる。ただし、その場合は後段の増幅器の非線型性が問題となる。そこで、元の第１データ、第２データをあらかじめ歪ませておく。すなわち、この増幅器から出力される信号が、歪みのない元の第１データ、第２データに一致するように、増幅器の非線型性を考慮して第１データ、第２データをあらかじめ歪ませておく。このようにすれば、歪ませるデータは包絡線としてたとえば０、ａ、２ａに対応するデータがあればよいので必要なメモリー量を抑えることができる。
【００６１】
すなわち、従来は、振幅（Ｉ２＋Ｑ２）１／２　が取り得る値が非常に多いため、使用されるメモリー容量は非常に大きなものが必要であったが、上記のようにすれば、例えば０、ａ、２ａに対応するデータがあればよいので、非線形歪みを抑制しながらメモリー量を大幅に低減化することができる。
【００６２】
また、別の構成として、各デルタシグマ変調器の出力が多値を取る場合、図２１（ａ）に示されるように増幅器が並列に複数個接続され、増幅器の前後に接続されたスイッチスイッチ９０３〜９０６を切り替えることにより少なくとも一つの増幅器を選択し（ＯＮとし）、包絡線を変化させる。例えば、無出力時は、スイッチ９０３〜９０６をＯＦＦとし増幅器９０１、増幅器９０２とも選択せず、低包絡線出力時は、増幅器９０１を選択し、増幅器９０２を選択しないようにスイッチ９０３、９０４をＯＮとし、スイッチ９０５、９０６をＯＦＦとする。そして、高包絡線出力時は、増幅器９０２を選択し、増幅器９０１を選択しないようにスイッチ９０５、９０６をＯＮとし、スイッチ９０３，９０４をＯＦＦする（図２１（ｂ）参照）。
【００６３】
また、上記までの説明における各ベクトル変調器までの機能はアナログで実現するのみならずデジタル信号処理で実現することもできる。例えば上記の各ベクトル変調器までの機能をデジタル信号処理で行なえばアナログ回路が不要になり、構成が簡易になる。このようにベクトル変調器出力までをデジタル信号処理によって実現し、図３２に示すように、増幅器５０３以降の後段のアナログ回路を接続することによって、簡単な構成で高効率な送信機を提供することができる。
【００６４】
また、デルタシグマ変調器のクロック周波数は、シンボル周波数に比べて非常に高速で（例えばシンボル周波数の１２５倍高速で）ある必要がある。その結果、Ｄ／Ａコンバータには高速性が求められる。ベクトル変調器出力までのすべての処理をデジタルで行なってからアナログ変換しようとすると、高速かつ高い垂直分解性能が要求されるため、実現困難であるか実現しても消費電力が大きい。そこで、このような場合は、ベクトル変調器出力までの構成を図２２に示す構成とすればよい。
【００６５】
すなわち、原データ生成器２０１の、規格化Ｉデータの出力側にＤ／ＡコンバータＡ０４（本発明の第１Ｄ／Ａコンバータ）を介して掛算器Ａ０７（第１掛算手段）を接続する。また規格化Ｑデータの出力側にＤ／ＡコンバータＡ０５（本発明の第２Ｄ／Ａコンバータ）を介して掛算器Ａ０８（第２掛算手段）を接続する。そして、原データ生成器２０１の直交信号の振幅成分出力側には、アップサンプリング手段Ａ０２が接続され、その出力側にはデルタシグマ変調器Ａ０３が接続され、デルタシグマ変調器Ａ０３の出力側には、Ｄ／ＡコンバータＡ０６（本発明の第３Ｄ／Ａコンバータ）が接続されている。そして、Ｄ／ＡコンバータＡ０６の出力側は、掛算器Ａ０７、Ａ０８の入力側に接続されている。
【００６６】
ここで、Ｄ／ＡコンバータＡ０４、Ａ０５は、垂直分解能は必要であるが高速性は求められない。一方、ＤＡコンバータＡ０６は、高速性は求められるが、垂直分解能はそれほど必要とはされない。このような構成を取ることによって、デジタル信号処理部Ａ１１（掛算器Ａ０７、Ａ０８に入力されるまでの構成）全体としては、要求される高速性と垂直分解能を兼ね備えることになる。
【００６７】
なお、Ｄ／Ａコンバータの高速性、垂直分解能にある程度の余力がある場合は、図１０〜１２の構成のデータ生成器の出力側にそれぞれＤ／Ａコンバータが接続され（すなわち第１データの出力側に第４Ｄ／Ａコンバータが接続され、第２データの出力側に第５Ｄ／Ａコンバータが接続され）る構成の送信機であってもよい。このような構成であっても簡単な構成で効率のよい送信機を提供することができる。
【００６８】
また、上記までの説明における送信機において、量子化雑音が問題になる場合がある。すなわち、以上までの説明における第１データをＩ’とし、第２データをＱ’とすると、Ｉ’、Ｑ’には、Ｉ、Ｑをデルタシグマ変調したときに得られる所望の信号の他に量子化雑音が含まれている。この量子化雑音をバンドパスフィルタで除去しようとすると、狭帯域のフィルタが必要である。また、送信周波数が可変の場合、フィルタの通過帯域を可変とする必要がある。いずれの場合も低損失で実現するのは困難であり、実現できても大型化してしまう。
【００６９】
このような場合は、図２３に記載の送信機を使用する。すなわち、データ生成器５０１には量子化雑音生成器Ｂ０１が接続される。データ生成器５０１の出力側は、本発明の第１ベクトル変調手段の一例であるベクトル変調器Ｂ０２、本発明の第１増幅手段の一例である増幅器Ｂ０４を介して合成器Ｂ０６の一方の入力側に至り、量子化雑音生成器Ｂ０１の出力側は、本発明の第４ベクトル変調手段の一例であるベクトル変調器Ｂ０３、本発明の第２増幅手段の一例である増幅器Ｂ０５を介して合成器Ｂ０６の他方の入力側に至る。
【００７０】
この量子化雑音生成器においては、Ｉ’とＩとの差を量子化雑音に相当する第１量子化雑音データＩ”（すなわちＩ”＝Ｉ’−Ｉ）として生成して出力する。また、Ｑ’とＱとの差を量子化雑音に相当する第２量子化雑音データＱ”（すなわちＱ”＝Ｑ’−Ｑ）として生成して出力する。このＩ”、Ｑ”で変調された信号を逆位相（これらの信号にマイナス符号を付け、同位相で、ということも含む。）で、Ｉ’、Ｑ’で変調された信号に合成する。このようにすることにより量子化雑音が除去される。なお、図２３の送信機においてデータ生成器５０１の代わりに図２２に示したデータ生成器が使用されてもよい。なお、上記の逆位相としては、ちょうど１８０°の位相差のみならず、１７０°〜１９０°程度の位相差であってもよいし、１６０°〜２００°程度の位相差であってもよい。その場合も上記と同様の効果を得ることができる。
【００７１】
ただし、量子化雑音を広帯域に渡って除去するためには、上記の方法のみでは現実的には困難があるので、所定の帯域においては上記のように量子化雑音のキャンセルを行ない、上記の所定の帯域の外側に残った量子化雑音はバンドパスフィルタで除去する。この場合、このバンドパスフィルタには特に急峻な特性が要求されるわけではない（近傍の信号を抑圧しなくてよい。）。
【００７２】
また、図３３に示すようにベースバンドデータをベクトル変調を行なう前にローパスフィルタＢ０８で不要な信号を除去しておくことも考えられる。このような構成により、広い周波数範囲にわたって増幅器Ｂ０５に入力される電力が大きくなることが避けられるので、トータルの効率を向上させることができる。
【００７３】
また、上記までの説明では、各デルタシグマ変調器の遅延を考慮しないで説明してきたが、特に高次のデルタシグマ変調器が使用されるときには、遅延が問題となる場合がある。その場合は、図２４に示す構成のデータ生成器が考えられる。すなわち、図２４に示すデータ生成器は、図１０に示すデータ生成器において、原データ生成器２０１の規格化Ｉ信号の出力側と掛算器３０５の間に本発明の第１遅延手段の一例である遅延器Ｄ０７を挿入し、原データ生成器２０１の規格化Ｑ信号の出力側と掛算器３０６の間に本発明の第２遅延手段の一例である遅延器Ｄ０８を挿入した構成である。遅延器Ｄ０７および遅延器Ｄ０８の遅延量はデルタシグマ変調器における遅延量に相当する。
【００７４】
このような構成をとることにより、掛算器３０５、３０６に入力される信号をデルタシグマ変調器３０４における遅延に合わせて遅延させるので、デルタシグマ変調器３０４における遅延を補正することができる。なお、遅延回路を使用する構成は、他のデータ生成器においても可能である。例えば、図１１に記載のデータ生成器において、デルタシグマ変調器３０４の補正をする場合は、原データ生成器３０１のＩ信号出力側と割算器３０２の間、および原データ生成器３０１のＱ信号出力側と割算器３０３の間に、上記と同様の第３遅延手段、第４遅延手段がそれぞれ接続されればよい。
【００７５】
また、以上までの説明では、規格化Ｉデータ、規格化Ｑデータは、第１データ、第２データとしてデルタシグマ変調されてから、ベクトル変調等がされるとしたが、デルタシグマ変調される前に角度変調等がされる構成であってもよい。そのような例を図２６に示す。データ生成器１００３は、規格化Ｉデータ、規格化Ｑデータ、デルタシグマ変調された振幅信号を出力する。規格化Ｉデータおよび規格化Ｑデータは、変調器１００４に入力されて直交角度される。変調器１００４から出力された信号は、振幅変調器１００５に入力され、デルタシグマ変調された振幅信号で振幅変調される。
【００７６】
図２７に、振幅変調器１００５の具体的構成例を示す。１１０４、１１０５は、整合回路であり、１１０６、１１０７はバイアス回路である。角度変調された信号を入力端子１１０１に入力し、デルタシグマ変調された振幅信号をゲート電圧供給端子１１０８、またはドレイン電圧供給端子１１０９のいずれかに入力する。このようにトランジスタ１１０３のゲート電圧またはドレイン電圧の大小を制御することにより、出力端子１１０２から出力される包絡線の大小を制御することができる。入力が多値である場合は、振幅変調器１００５を、図２１（ａ）に示す構成としてもよい。このような構成、動作であっても上記と同様の効果を得ることができる。
【００７７】
また、以上までの説明における本発明の送信機において、その送信電力の強度に応じて、ベクトル変調手段を変更することも考えられる。図２８は、そのような場合の構成を示す。
【００７８】
データ生成部１２０１は、信号処理部１２０２、およびベクトル変調器１２０４のそれぞれに対してＩ信号、Ｑ信号およびそれらの振幅成分を出力する。信号処理部１２０２は、入力されたＩ信号、Ｑ信号およびそれらの振幅成分から、実施の形態１に記載した動作と同様の動作により、第１データおよび第２データを生成する。信号処理部１２０２から出力された第１データおよび第２データは、ベクトル変調器１２０３において角度変調される。一方、データ生成部１２０１から出力されたＩ信号およびＱ信号は、ベクトル変調器１２０４においてベクトル変調される。
【００７９】
ここで、送信電力制御部１２１０は、本発明の送信機から出力される送信信号の強度が所定量以上のときは、スイッチ１２０５がベクトル変調器１２０３を選択するように制御し、送信信号の強度が所定量以下のときは、スイッチ１２０５がベクトル変調器１２０４を選択するように制御する。選択された変調信号は、利得可変増幅器１２０６、増幅器１２０７、バンドパスフィルタ１２０９を介して送信信号として出力される。このように送信電力の大きさによりベクトル変調器１２０３、１２０４を変更することにより、効率的に送信信号を出力することができる。すなわち、送信電力が所定量より小さいときは、デルタシグマ変調手段を含む信号処理部１２０２を動作させる必要がないので、消費電力を低下させることができる。
【００８０】
なお、図２８に示す例において、データ生成部１２０１および信号処理部１２０２は、本発明のデータ生成器に対応し、ベクトル変調器１２０３は、本発明の第１ベクトル変調手段に対応し、ベクトル変調器１２０４は、本発明の第２ベクトル変調手段に対応する。ここで、ベクトル変調器１２０３、１２０４は直交変調器またはポーラー変調器であり得る。
【００８１】
また、図２８に示す例において、送信電力制御部１２１０は、各構成要素の動作のオンオフを制御し、使用されていない線路への電力供給をオフする。
【００８２】
また、図２８に示す例において、ベクトル変調器１２０３、およびベクトル変調器１２０４を共用することも考えられる。図２９にそのような場合の構成例を示す。ここで、本発明の第３べクトル変調手段は、ベクトル変調器１３０３に対応する。
【００８３】
なお、以上までの説明において、本発明の変換手段は、各デルタシグマ変調器に対応するが、本発明の変換手段は、デルタシグマ変調器に限らず、デルタ変調器など包絡線が離散的なアナログ信号に変換することができる変換手段であってもよい。さらに、本発明の変換手段は、その振幅成分の分解能よりも小さい分解能の信号に変換することができる変換手段であってもよい。その場合も、上記と同様の効果を得ることができる。
【００８４】
また、以上までの説明におけるベクトル変調は、直交変調、ポーラー変調、振幅変調、角度変調、周波数変調等を含む。
【００８５】
【発明の効果】
本発明によれば、高効率な送信機を実現するデータ生成器、データ生成方法、およびそのデータ生成器を利用した送信機を提供することができる。
【図面の簡単な説明】
【図１】図１は、本発明の実施の形態１のデータ生成器の動作を説明する図である。
【図２】図２は、本発明の実施の形態１のデータ生成器の動作を説明する図である。
【図３】図３は、本発明の実施の形態１のデータ生成器の動作を説明する図である。
【図４】図４は、本発明の実施の形態１のデータ生成器の動作を説明する図である。
【図５】図５は、本発明の実施の形態１のデータ生成器の動作を説明する図である。
【図６】図６は、本発明の実施の形態１のデータ生成器の動作を説明する図である。
【図７】図７は、本発明の実施の形態１のデータ生成器の動作を説明する図である。
【図８】図８は、本発明の実施の形態１のデータ生成器の動作を説明する図である。
【図９】図９は、本発明の実施の形態１のデータ生成器の動作を説明する図である。
【図１０】図１０は、本発明の実施の形態２の送信機の構成を示すブロック図である。
【図１１】図１１は、本発明の実施の形態２の送信機の構成を示すブロック図である。
【図１２】図１２は、本発明の実施の形態２の送信機の構成の一部を示すブロック図である。
【図１３】図１３は、本発明の実施の形態２の送信機の特性を示す図である。
【図１４】図１４は、本発明の実施の形態２の送信機の特性を示す図である。
【図１５】図１５は、本発明の実施の形態２の送信器の特性を示す図である。
【図１６】図１６は、本発明の実施の形態２の送信機の特性を示す図である。
【図１７】図１７は、本発明の実施の形態２の送信器の構成を示すブロック図である。
【図１８】図１８は、本発明の実施の形態２の送信機の別の例の構成を示すブロック図である。
【図１９】図１９は、本発明の実施の形態２の送信機の別の例の構成を示すブロック図である。
【図２０】図２０は、本発明の実施の形態１のデータ生成器の一部の構成要素の一例を示すブロック図である。
【図２１】図２１（ａ）は、本発明の実施の形態２の送信機の一部の構成要素の一例を示す図である。図２１（ｂ）は、図２１（ａ）に示す回路の動作を示す図である。
【図２２】図２２は、本発明の実施の形態１のデータ生成器の別の例の構成を示すブロック図である。
【図２３】図２３、本発明の実施の形態２の送信機の別の例の構成を示すブロック図である。
【図２４】図２４は、本発明の実施の形態のデータ生成器の別の構成を示すブロック図である。
【図２５】図２５は、従来の送信機の構成の一例を示すブロック図である。
【図２６】図２６は、本発明の実施の形態２の送信機の変形例を示すブロック図である。
【図２７】図２７は、図２６に示す送信機において使用される振幅変調手段の一例を示すブロック図である。
【図２８】図２８は、本発明の実施の形態２の送信機の変形例を示すブロック図である。
【図２９】図２９は、本発明の実施の形態２の送信機の別の変形例を示すブロック図である。
【図３０】図３０は、本発明の実施の形態１のデータ生成器の特性を示す図である。
【図３１】図３１は、本発明の実施の形態２の送信機の構成例を示すブロック図である。
【図３２】図３２は、本発明の実施の形態２の送信機の構成の変形例を示すブロック図である。
【図３３】図３３は、本発明の実施の形態２の送信機の構成の変形例を示すブロック図である。
【符号の説明】
２０１　原データ生成器
３０１　原データ生成器
３０２、３０３　割算器
３０４　デルタシグマ変調器
３０５、３０６　掛算器
３０７、３０８　出力端子
４０２、４０３　ローパスフィルタ
４０４、４０５　出力端子
５０１　データ生成器
５０２　ベクトル変調器
５０３　増幅器
５０４　バンドパスフィルタ
５０５　アンテナ
６０１　データ生成器
６０２　ベクトル変調器
６０３　掛算器
６０４　信号発生器
６０５　バンドパスフィルタ
６０６　増幅器
６０７　バンドパスフィルタ
６０８　アンテナ
７０１　データ生成器
７０２、７０３　掛算器
７０４　移相器
７０５　信号発生器
７０６　合成器
７０７　出力端子
７０８　デジタル信号処理部
８０１　入力端子
８０２、８０４、８０６，８０８　引き算器
８０３、８０５、８０７、８０９　積分器
８１１、８１２、８１３、８１４　増幅器
８１０　量子化器
８１５　出力端子
９０２　位相検出部
９０３　電圧制御発振器
９０４　周波数制御部
９０５　増幅器
９０６　バンドパスフィルタ
９０７　アンテナ
５００１　データ生成器
５００２　変調器
５００３　掛算器
５００４　信号発生器
５００５　バンドパスフィルタ
５００６　増幅器
５００７　アンテナ
【図１】
2004072734.tif 000003
【図２】
2004072734.tif 000004
【図３】
2004072734.tif 000005
【図４】
2004072734.tif 000006
【図５】
2004072734.tif 000007
【図６】
2004072734.tif 000008
【図７】
2004072734.tif 000009
【図８】
2004072734.tif 000010
【図９】
2004072734.tif 000011
【図１０】
2004072734.tif 000012
【図１１】
2004072734.tif 000013
【図１２】
2004072734.tif 000014
【図１３】
2004072734.tif 000015
【図１４】
2004072734.tif 000016
【図１５】
2004072734.tif 000017
【図１６】
2004072734.tif 000018
【図１７】
2004072734.tif 000019
【図１８】
2004072734.tif 000020
【図１９】
2004072734.tif 000021
【図２０】
2004072734.tif 000022
【図２１】
2004072734.tif 000023
【図２２】
2004072734.tif 000024
【図２３】
2004072734.tif 000025
【図２４】
2004072734.tif 000026
【図２５】
2004072734.tif 000027
【図２６】
2004072734.tif 000028
【図２７】
2004072734.tif 000029
【図２８】
2004072734.tif 000030
【図２９】
2004072734.tif 000031
【図３０】
2004072734.tif 000032
【図３１】
2004072734.tif 000033
【図３２】
2004072734.tif 000034
【図３３】
2004072734.tif 000035